(57)【特許請求の範囲】
【請求項１】
１つのビデオ画像を１フレームの間ディスプレイ装置に表示する方法であって、
前記装置は行及び列に配列された複数のセルを有しており、前記ビデオ画像フレームはグレーレベルを得るために使用されるサブスキャンと称する複数の期間から構成されており、前記サブスキャンの間、前記装置の各セルはオン状態又はオフ状態のいずれかであり、前記装置のセルの状態は、前記ビデオ画像フレームの間、高々一度変化し、前記サブスキャンは第１のタイプのサブスキャンと第２のタイプのサブスキャンに分割されており、前記第１のタイプのサブスキャンは前記装置のセルの２つの隣接する行に同時にアドレスするものであり、前記第２のタイプのサブスキャンは前記装置のセルの各行に個別にアドレスするものであり、第１のタイプの各サブスキャンが第２のタイプのサブスキャンの直前又は直後であるようにした方法において、
表示可能なグレーレベルの順序リスト中のグレーレベルＡ及びＢを表示する、列方向に隣り合う２つの隣接セルに関して、前記グレーレベルＡを得るために使用される第１のタイプのサブスキャン及び第２のタイプのサブスキャンの時間的分布は前記グレーレベルＢを得るために使用される第１のタイプのサブスキャン及び第２のタイプのサブスキャンの時間的分布と同一であり、
前記隣接セルのうちの一方の状態が変わる最初のサブスキャンが前記第１のタイプのサブスキャンである場合には、グレーレベルの一方を予め変更する、ただしその際、
グレーレベルＡとＢが隣接するグレーレベルならば、グレーレベルＡとＢが等しくなるようにグレーレベルＡ又はＢを変更し、
グレーレベルＡとＢが隣接するグレーレベルでなければ、前記セルの状態が変化する最初のサブスキャンが前記第２のタイプのサブスキャンとなるようにグレーレベルＡとＢのうち高い方を変更し、
前記隣接セルのうちの一方の状態が変わる最初のサブスキャンが前記第２のタイプのサブスキャンである場合には、グレーレベルＡ及びＢを変更しない、
ことを特徴とするビデオ画像をフレームの間ディスプレイ装置に表示する方法。
【請求項２】
前記第１のタイプのサブスキャンの数は前記第２のタイプのサブスキャンの数に等しい、請求項１記載の方法。
【請求項３】
前記第１のタイプのサブスキャンと前記第２のタイプのサブスキャンは、ビデオ画像フレームの間、前記第２のタイプのサブスキャン１つに対して前記第１のタイプのサブスキャン２つの割合で交互する、請求項１記載の方法。
【請求項４】
前記パネルのすべてのセルは前記ビデオ画像フレームの開始時にはオフ状態にある、請求項１から３のいずれか１項記載の方法。
【請求項５】
前記パネルのすべてのセルは前記ビデオ画像フレームの開始時にはオン状態にある、請求項１から３のいずれか１項記載の方法。
【請求項６】
請求項１から５のいずれか１項記載の表示方法を実施する装置を有することを特徴とするプラズマディスプレイパネル。
【発明の詳細な説明】
【技術分野】
【０００１】
本発明はビデオ画像をディジタルディスプレイ装置に、とりわけプラズマディスプレイパネルに表示する方法に関する。より詳細には、本発明は分離アドレス／維持及び消去型のプラズマディスプレイパネル（以下、ＰＤＰと称する）に適用される。
【０００２】
ＰＤＰの技術は、大型のフラットディスプレイスクリーンを得ることを可能とする。ＰＤＰは一般に間にガス充填空間をもった２つの絶縁タイルを有しており、このガス充填空間内に、バリアにより境界付けられた基本空間が定められている。各タイルには１つ又は複数の電極アレイが設けられている。基本空間には基本セルが対応し、前記基本空間の各側に少なくとも１つの電極が設けられている。基本セルを活動化するには、セル電極間に電圧を印加することにより対応する基本空間内に放電を起こす。放電は基本セル内に紫外線の放射を引き起こす。セルの壁に溶着された蛍燐光体がＵＶを可視光線に変換する。
【０００３】
ＰＤＰの基本セルの動作期間はビデオ画像の表示期間と一致している。各セルはオン状態か又はオフ状態となる。セルは、維持パルスと呼ばれるパルスを連続して送ることにより、所望の時間の間、これらの状態の一方に保持される。セルの点孤又はアドレス動作は比較的高い電気パルスを送ることにより行われる。この比較的高い電気パルスはアドレスパルスとしても知られている。セルの消弧又は消去は減衰放電によりセル内部の電荷を消去することにより行われる。種々のグレーレベルを得るために、ビデオ画像の表示が継続している間、セルの相次ぐオン状態とオフ状態の持続をサブスキャン又はサブフレームによって変更することにより、眼による時間的統合の現象を利用する。
【０００４】
図１には、ビデオ画像を表示するためのサブスキャンの時間的分布が示されている。画像の全表示時間Ｔは国により１６．６又は２０ｍｓである。画像表示のため、８つのサブスキャンＳＳ１〜ＳＳ８には２５６の可能なグレーレベルが与えられている。各サブスキャンは、基本時間Ｔ０の倍数である照明時間Ｔｉの間、セルをターンオするために使用されか又は使用されないかである。以下では、Ｔｉ＝ｐＴ０となる整数ｐが問題となるサブスキャンの重みを表す。サブスキャンの全持続時間は、消去時間Ｔｅ、アドレス時間Ｔａ、及び各サブスキャンに固有の照明時間Ｔｉから構成される。アドレス時間Ｔａはｎ個の基本持続時間Ｔａｅに分割することができる。基本持続時間Ｔａｅはそれぞれ１つの行に対するアドレス時間に相当する。各サブスキャンの照明時間は図１においてハッチングして示されている。Ｔｍａｘによって、最大グレーレベルに対する照明時間Ｔｉの和に相当する最大照明持続時間を表すことにすれば、Ｔは次の式により与えられる。Ｔ＝ｍ（Ｔｅ＋ｎＴａｅ）＋Ｔｍａｘ。ここで、ｍは画像表示期間のサブスキャンの数を表している。しかし、持続時間Ｔにわたる照明のこの分布は、人間の眼による時間的統合に関連した幾つかの問題を、特に輪郭妨害の問題を生じる。
【０００５】
輪郭妨害の問題は、画像の隣接する２つの領域が非常に似たグレーレベルを有し、照明時間も相関していない場合に生じる。図１のサブスキャン分布と類似したサブスキャン分布を用いると、最悪のケースでは、グレーレベル１２７と１２８の間に遷移が起こる。これは、グレーレベル１２７が最初の７つのサブスキャンＳＳ１〜ＳＳ７にわたる照明に対応し、グレーレベル１２８が８番目のサブスキャンＳＳ８にわたる照明に対応しているからである。それぞれグレーレベル１２７及び１２８のこれら２つの隣接する領域は決して同時に照明されない。画像が静的であり、観察者の眼がスクリーン上を動いていない場合、観察者は各ピクセルのサブスキャンの別個の時間的統合を行い、したがって比較的似たグレーレベル、すなわち１２７と１２８を有する２つの領域を見る。一方、２つの領域がスクリーン上を動いている（及び／又は観察者の眼が動いている）場合、眼はＰＤＰの複数ピクセルに関連したサブスキャンを統合してしまう。その結果、グレーレベル１２７とグレーレベル１２８の間の遷移部に暗い帯又は明るい帯が見える。
【０００６】
この輪郭妨害の問題を解決する複数の解決手段が知られている。第１の解決手段は、統合誤差を低減するために重い重みを有するサブスキャンを「割る」ことから成っている。これはサブススキャンを加えることを意味する。しかし、画像の全表示時間Ｔ＝ｍ（Ｔｅ＋ｎＴａｅ）は固定されていなければならず、結果として時間Ｔｍａｘの短縮（ＴｅとＴａｅは圧縮不能の持続時間なので）、したがってＰＤＰの最大輝度の低減が生じる。それゆえ、正しい輝度を有しつつ使用可能なサブスキャンは１０までである。図２には、１０のサブスキャンＳＳ１〜ＳＳ１０を用いたアドレス動作の例が示されている。この例では、重い重みを有するサブスキャンは２つに「割られている」。
【０００７】
別の解決手段は、使用可能なグレーレベルの数を制限し、画像を表示しているときに時間的統合に関連した乱れが生じないようにグレーレベルを選択することから成る。この解決手段では、グレーレベルはいわゆる増分符号に従って符号化される。この符号を用いることで、ＰＤＰのセルは画像表示期間Ｔの間少なくとも一度状態を変化させる。したがって、セルが期間Ｔの開始時点にオフ状態にあり、この期間の所定のサブスキャンの間にオン状態に切り替わる場合、期間の終了までこの状態にとどまる。しかし、オン状態にあっても、セルは実際には問題のサブスキャンの維持期間（Ｔｉ）と期間Ｔの後続サブスキャンの間だけ点孤されることに注意しなければならない。また、期間Ｔは期間Ｔの終端に位置する１つの消去時間Ｔｅしか有していないため、セルは期間終了までオン状態にとどまることにも注意しなければならない。したがって、Ｔ＝Ｔｅ＋ｍ（ｎＴａｅ）＋Ｔｍａｘ。この符号の主な欠点は、表示可能なグレーレベルの数が非常に少ないことである。それはｍ＋１に等しい（ｍは期間Ｔの間のサブスキャンの数であること想起せよ）。図３には、表示期間が重み１，２，４，８，１６，２４，２４，２４，２４，２４，２４，２４，２４及び２４の１４個のサブスキャンを含んでいる場合の増分符号により表示可能なグレーレベルが示されている。それゆえ、１４の表示可能なグレーレベルは０，１，３，７，１５，３１，５５，７９，１０３，１２７，１５１，１７５，１９９，２２３及び２４７である。この図では、サブスキャンは重みが減少していく順序で配列されている（期間Ｔの開始時にセルがオフ状態である場合）。ディザリングと呼ばれる、誤差又はノイズ拡散の技法は、当業者には周知であり、この少数のグレーレベルの部分的補正を可能にする。ディザリング技法の原理は、所望のグレーレベルを表示可能なグレーレベルの組合せに分割することにあり、これらの表示可能なグレーレベルが、時間的統合（これらのグレーレベルが複数の連続する画像にわたって表示される）又は空間的統合（これらのグレーレベルが問題のピクセルを包含する画像のある１つの領域に表示される）により、スクリーン上に所望のグレーレベルに近いグレーレベルを再現する。それにもかかわらず、ディザリング操作の結果をさらに改善するために、増分符号により表示可能なグレーレベルの数を増やすことは望ましい。
【０００８】
したがって、本発明の課題は、プラズムディスプレイパネルの輝度を低下させることなく、増分符号により表示可能なグレーレベルの数を増やすことである。これを実現するための唯一の解決手段は、画像表示期間のサブスキャンの数を増やすことから成る。
【０００９】
したがって、本発明によれば、ＰＤＰ内の隣接セルの間に存在するビデオ冗長性を利用して、セルのアドレス時間を短縮し、それにより画像表示期間のサブスキャンの数を増やすという手段が講じられる。
【００１０】
本発明は、表示時間の間、ビデオ画像をディジタルディスプレイ装置に表示する方法であり、前記装置は行及び列に配列された複数のセルを有しており、ビデオ画像表示時間はサブスキャンと呼ばれる複数の期間から構成されており、前記装置の各セルは、サブスキャンの間、オン状態にあるか又はオフ状態にある。本発明によれば、前記装置のセルは、前記ビデオ画像表示時間の間、高々一度状態を変化させ、サブスキャンは第１のタイプのサブスキャンと第２のタイプのサブスキャンに分割され、第１のタイプのサブスキャンは前記装置のセルの隣接する２つの行に同時にアドレスし、第２のタイプのサブスキャンは装置のセルの各行に個別にアドレスする。
【００１１】
有利な実施形態によれば、第１のタイプの各サブスキャンは第２のタイプのサブスキャンの直前又は直後である。第１のタイプのサブスキャンと第２のタイプのサブスキャンはビデオ画像表示時間の間交互する。第１のタイプのサブスキャンの数は第２のタイプのサブスキャンの数に等しい。第１のタイプのサブスキャンと第２のタイプのサブスキャンは、ビデオ画像表示時間の間、第２のタイプのサブスキャン１つに対して第１のタイプのサブスキャン２つの割合で交互する。
【００１２】
さらに、隣接セルのうちの一方の状態が変わる最初のサブスキャンが第１のタイプのサブスキャンである場合には、グレーレベルＡとＢが等しくなるように又はセルの状態が変化する最初のサブスキャンが第２のタイプのサブスキャンであるように、グレーレベルの一方Ａ又はＢが予め変更される。
【００１３】
本発明はまた上記表示方法を実施するための装置を有するプラズマディスプレイパネルにも関する。
【００１４】
本発明のさらなる特徴及び利点は、以下の詳細な説明と添付図面の参照とから明らかとなる。
【００１５】
図１及び２は、先行技術による、画像表示の間のサブスキャンの時間分割を示しており、
図３は、増分符号による１４のサブスキャンにより表示可能なグレーレベルを示しており、
図４及び５Ａ〜５Ｄは、本発明の方法を実施する第１の方式を示しており、
図６及び７Ａ〜７Ｄは、本発明の方法を実施する第２の方式を示しており、
図８は、本発明の方法が使用されるＰＤＰのブロック図を示している。
【００１６】
本発明の主題をなす表示方法は、隣接するピクセル（ＰＤＰの隣接する行に属する）の間のビデオ冗長性を利用して、ＰＤＰの各セルに対するアドレス時間を短縮する。
【００１７】
本発明によれば、あるサブスキャンに関して、ＰＤＰの連続する２つの行を同時にスキャンする手段が講じられる。従来のプラズマアドレス動作にとって周知のこの技法は、増分符号により符号化されたグレーレベルを使用したディスプレイというコンテキストでは決して適用されてこなかった。増分符号の使用は、セルの状態の変化が生じるのはただ一度であることを強いるが、２つのラインへの同時アドレスは、離れたレベルを有するセルに同時にアドレスすることは許可しない。
【００１８】
したがって、本発明によれば、期間Ｔのサブスキャンは２つのグループに分けられる。一方では、第１のタイプのサブスキャンがＰＤＰの隣接する２つの行に同時にアドレスし、他方では、第２のタイプのサブスキャンが１度にセルの１つの行のみにアドレスする。
【００１９】
例えば、画像表示期間がｍのサブスキャンを含んでおり、これらのサブスキャンのうち、ｍ１のサブスキャンがＰＤＰの連続する２つの行に同時にアドレスする場合、以下の式が書ける：
Ｔ＝Ｔｅ＋（ｍ−ｍ１）（ｎＴａｅ）＋ｍ１（1/2ｎＴａｅ）＋Ｔｍａｘ
この技法は、第１のタイプのｍ１のサブスキャンのアドレス時間を１／２に短縮し、したがってまたＴｍａｘを短縮することなく追加サブスキャンを加えることを可能にする。
【００２０】
本発明の方法を実施する第１の方式は図４に示されている。画像表示期間は、７つの第１タイプと７つの第２タイプを含む１４のサブスキャンを有している。第１のタイプのサブスキャンと第２のタイプのサブスキャンは交互に配列されている。つまり、第１のタイプのサブスキャン、第２のタイプのサブスキャン、第１のタイプのサブスキャン等々。第１のタイプのサブスキャンの照明期間と第２のタイプのサブスキャンの照明期間はハッチングされている。全アドレス時間は１４Ｔａではなく、（７＋７／２）Ｔａに等しい。したがって、アドレス動作の観点からの時間節約は２５％である。この節約時間は表示期間のサブスキャンの数を増やすために使用される。また、この節約時間を、サブスキャンの照明期間の持続時間を増すことによりＰＤＰの輝度を増すことに使用することも考えられる。
【００２１】
以下では、生じうる多くのケースを通して、如何にして本発明により少なくとも２つのセルへの共通アドレス動作を行うことが可能となるかを説明する。
【００２２】
これらの問題を説明するために、同じ第１のタイプのサブスキャンを共有し、それぞれグレーレベルＡとグレーレベルＢを表示するＰＤＰの２つのセルＣ１及びＣ２を考える。ＵはＡとＢのうちで高い方のグレーレベルを表し、Ｌは低い方のグレーレベルを表すとする。さらに、セルＣ１及びＣ２が表示期間の開始時にオフ状態にある場合を考える。
ケース１
Ａ＝Ｂならば、セルＣ１及びＣ２は同じサブスキャンの間にオン状態に切り替わる。したがって、グレーレベルＡ及びＢをセルＣ１及びＣ２に表示するのに何の問題もない。
ケース２
グレーレベルＵを表示するために、対応するセル（Ｃ１又はＣ２）がオンである最初のサブスキャンが第２のタイプのサブスキャンである場合、問題のセルのオン状態へのこの切り替えはもう一方のセルのオン状態への切り替えを伴わないので、これも何の問題もない。
ケース３
最後に、グレーレベルＵを表示するために、対応するセルがオンである最初のサブスキャンが第１のタイプのサブスキャンである場合、両方のセルがオン状態へ切り替わるので問題が生じる。したがって、２つのケースが区別される：
（３．１）グレーレベルＡ及びＢが、表示可能なグレーレベルの順序リスト０，１，３，７，１５，３１，５５，７９，１０３，１２７，１５１，１７５，１９９，２２３及び２４７の中の隣り合うグレーレベルである場合、解決手段は、Ａ＝Ｂとなるように、２つのグレーレベルの一方Ａ又はＢを変更するものである。これを行うためには、ＵをＵの直ぐ下の表示可能なグレーレベルで置き換えるか、又はＬをＬの直ぐ上の表示可能なグレーレベルで置き換えることが可能である。これにより最終的にＵ＝Ｌ＝Ａ＝Ｂとなる。
【００２３】
（３．２）グレーレベルＡ及びＢが表示可能なグレーレベルの順序リストの中の隣り合うグレーレベルではない場合、対応するセルがオンである最初のサブスキャンが第２のタイプのサブスキャンであるように、グレーレベルＵを変更する必要がある。これを行うためには、ＵをＵの直ぐ下の表示可能なグレーレベルで置き換えるか又はＵの直ぐ上の表示可能なグレーレベルで置き換えることが可能である。
【００２４】
ケース３のみが画像の表示にノイズをもたらす。しかし、ビデオ画像に多くの冗長性がある場合、もっともよく遭遇するケースはケース１である（時間の５０％）。残りに関しては、ケース２と３が等しく生じうる（それぞれ時間の２５％）。最後に、ケース３．１と３．２のうちでは、ケース３．１の方がより頻繁に遭遇する（ケース３．１は時間の２０％、対してケース３．２は時間の５％）。ケース３．１に対して適用される処置は、似たグレーレベルを有する画像領域を均一化するので、最も見えにくいものである。また、ケース３．１の大きな割合は、予め画像にディザリング操作を施していない場合に、ケースで遭遇されるものであることにも気付かれるだろう。
【００２５】
これら３つのケースは図５Ａ〜５Ｄに示されている実施例により説明される。これらの図において、サブスキャンの間の値１をもったアドレス動作は、対応するセルがこのサブスキャンの間ターンオンされていることを意味する。値０をもったアドレス動作は対応するセルがターンオフされていることを意味する。
【００２６】
図５Ａには、Ａ＝Ｂ＝１７５であるケースが示されている。セルＣ１及びＣ２はサブスキャンＳＳ４の間にオン状態に切り替わり、残りの表示期間の間にアドレスされる値が０又は１の何であれ、表示期間の終了までこの状態にとどまる（ｘは値０又は値１のいずれかを表す）。
【００２７】
図５Ｂには、Ａ＝１７５かつＢ＝１０３であるケースが示されている。セルＣ１はサブスキャンＳＳ４の間にオン状態に切り替わり、表示期間の終了までこの状態にとどまる。サブスキャンＳＳ４が第１のタイプでないとすれば、このサブスキャンの間セルＣ２をターンオンしないことが可能である。したがって、値０がサブスキャンＳＳ４の間にセルＣ２にアドレスされる。グレーレベル１０３を得るためには、サブスキャンＳＳ７の間に値１がセルＣ２にアドレスされる。サブスキャンＳＳ７は第１のタイプのサブスキャンなので、この値はセルＣ１にも当てられる。残りのサブスキャン−ＳＳ８〜ＳＳ１４−の間、セルＣ１及びＣ２はオン状態にとどまる。
【００２８】
図５Ｃには、Ａ＝１５１かつＢ＝１２７であるケースが示されている。グレーレベル１５１を得るためには、第１のタイプのサブスキャンＳＳ５の間に値１がアドレスされる。この値はセルＣ１及びＣ２の両方に当てられる。しかし、これら２つのグレーレベルは表示可能なグレーレベルのリストにおいて隣り合っているため、両方のセルにおいてグレーレベル１５１か又はグレーレベル１２７のいずれかを表示するように選択することが可能である。したがって、値１はサブスキャンＳＳ５の間にセルＣ１及びＣ２に当てられる。
【００２９】
最後に、図５Ｄには、Ａ＝１５１かつＢ＝７９であるケースが示されている。このケースに関しては、まず第２のタイプのサブスキャン、すなわちサブスキャンＳＳ６をターンオンするために、Ａの値が１２７に低下させるように選択されている。
【００３０】
本発明の方法を実施する第２の方式は図６に示されている。表示期間は、１０の第１のタイプと９の第２のタイプを含む１９のサブスキャンＳＳ１〜ＳＳ１９を有している。サブスキャンＳＳ１〜ＳＳ１５は１６の重みを有し、サブスキャンＳＳ１６，ＳＳ１７，ＳＳ１８及びＳＳ１９はそれぞれ８，４，２及び１の重みを有している。第１のタイプ及び第２のタイプのサブスキャンは、第１のタイプのサブスキャン２つに対して第２のタイプのサブスキャン１つの割合で交互する、又は少なくとも重み１６のサブスキャンに関しては交互する。したがって、サブスキャンＳＳ１，ＳＳ３，ＳＳ４，ＳＳ６，ＳＳ７，ＳＳ９，ＳＳ１０，ＳＳ１１，ＳＳ１２及びＳＳ１３は第１のタイプであり、サブスキャンＳＳ２，ＳＳ５，ＳＳ８，ＳＳ１１，ＳＳ１４，ＳＳ１６，ＳＳ１７，ＳＳ１８及びＳＳ１９は第２のタイプである。このサブスキャンの組合せにより表示可能なグレーレベルは次の通りである：０，１，３，７，１５，３１，４７，６３，７９，９５，１１１，１２７，１４３，１５９，１７５，１０１，２０７，２２３，２３９，２５５。全アドレス時間は１９Ｔａではなく（９＋1/2 １０）Ｔａに等しい。したがって、アドレス時間の観点からの時間節約は２６％である。
【００３１】
先の実施形態の場合と同様に、表示には幾つかの問題が生じる。これらの問題を説明するため、再び同じ第１のタイプのサブスキャンを共有し、それぞれグレーレベルＡとグレーレベルＢを表示するＰＤＰの２つのセルＣ１及びＣ２を考える。ＵはＡとＢのうちの高い方のグレーレベルを表し、Ｌは低い方のグレーレベルを表す。ケース１，２及び３．１は既に説明したものと同じである。
【００３２】
ケース３．２（セルが状態を変化させる最初のサブスキャンが第１のタイプのサブスキャンであるケース）に関しては、２つのセルのうちの一方が状態を変化させる最初のサブスキャンが第２のタイプのサブスキャンであるように、グレーレベルＵを変更する必要がある。これを行うため、Ｕは問題のサブスキャンに応じて直ぐ下又は直ぐ上の表示可能なグレーレベルで置き換えられる。
【００３３】
この実施形態を説明するために、以下に実施例を示す。
【００３４】
図７Ａには、Ａ＝Ｂ＝１７５であるケースが示されている。セルＣ１及びＣ２はサブスキャンＳＳ６の間にオン状態に切り替わり、表示期間の終了までこの状態にとどまる。
【００３５】
図７Ｂには、Ａ＝１９１かつＢ＝１２７であるケースが示されている。セルＣ１はサブスキャンＳＳ５の間にオン状態に切り替わり、表示期間の終了までこの状態に留まる。サブスキャンＳＳ５が第１のタイプでないとすれば、このサブスキャンの間セルＣ２をターンオンしないことが可能である。したがって、値０がサブスキャンＳＳ５の間セルＣ２にアドレスされる。グレーレベル１２７を得るために、値１はサブスキャンＳＳ９の間にセルＣ２にアドレスされる。サブスキャンＳＳ９は第１のタイプのサブスキャンなので、この値はセルＣ１にもアドレスされる。残りのサブスキャンＳＳ１０〜ＳＳ１９の間、セルＣ１及びＣ２はオン状態にとどまる。
【００３６】
図７Ｃには、Ａ＝１７５かつＢ＝１５９であるケースが示されている。グレーレベル１７５を得るには、値１は通常第１のタイプのサブスキャンの間にアドレスされなければならない。この値はセルＣ１及びＣ２の両方に当てられる。しかし、これら２つのグレーレベルは表示可能なグレーレベルのリストにおいて隣り合っているので、両方のセルにグレーレベル１７５か又はグレーレベル１５９のいずれを表示するか決定することが可能である。図７Ｃの例では、グレーレベル１５９が両方のセルに表示されている。したがって、値１はサブスキャンＳＳ７の間にセルＣ１及びＣ２にアドレスされる。
【００３７】
図７Ｄには、Ａ＝１７５かつＢ＝１２７であるケースが示されている。このケースに関しては、まず第２のタイプのサブスキャン、すなわちサブスキャンＳＳ５をターンオンするために、Ａの値を１９１に増大させる選択が為されている。
【００３８】
上記のすべての実施例では、セルは表示期間の開始時にはオフ状態にあり、表示期間の間にオン状態に切り替わる（グレーレベル０を表示するセルは除く）。本発明の原理は、表示期間の開始時はオン状態にあり、その後ターンオフされるセルにも適用可能である。この方法は画像の表示に僅かなノイズ（ケース３．２）をもたらす。しかし、このノイズは少数のピクセルにしか関係しないので非常に低く、このノイズの最大値はサブスキャンの重い重みに等しい、すなわち図６の例では１６に等しい。他方で、この方法は画像表示期間の間にサブスキャンの数を著しく増加させることができる。セルの２つより多くの隣接する行に同時にアドレスすることにより、サブスキャンの数をまたさらに増加させることが可能である。
【００３９】
本発明の方法を実施するには、非常に多くの構造が可能である。本発明の方法を実施するＰＤＰは図８に示されている。Ｒ，Ｇ，Ｂビデオ信号のストリームはガンマ補正回路１０により受信される。この補正の目的はＰＤＰの直線性の欠陥を補正することである。補正された信号は、増分符号による符号化のために、誤差拡散回路１１と量子化回路１２により処理される。誤差拡散の目的は画像解像度における量子化の作用をぼかすことである。この量子化の終了時には、ピクセルは例えばＮビット（つまり、２Ｎ個の可能なグレーレベル値）にわたって符号化されている。次に、信号は、必要ならば（ケース３．２）グレーレベルを変更するように設計された符号化回路１２により処理される。符号化回路１３は行ごとにピクセルを受け取るための２つの入力側を有しており、第１の入力側は例えば画像の奇数行を受け取るためのものであり、第２の入力側は偶数行を受け取るためのものである（隣接する２つの行に同時にアドレスするケース）。画像の隣接する行を符号回路１３において同時に処理することができるように、ピクセルの第１行を遅延させるため行メモリ１４が設けられている。同時に処理されるピクセルの行は２つの別個の入力側に供給され、出力マルチプレクサ１４を介して画像メモリ１６に送られる。また、ピクセルの第２行を遅延するために、行メモリ１５が符号化回路１３の出力側に設けられている。出力マルチプレクサ１４は符号化回路１３の２つの出力側を交互に切り替える。次に、画像メモリ１６がビデオ信号をプラズマタイル１９の行ドライバ１７と列ドライバ１８に供給する。同期回路２０はドライバ１７及び１８を同期させるたえに設けられている。この構成は単なる説明として与えられているものに過ぎない。
【００４０】
上で指摘したように、増分符号は消去によるアドレス動作にも使用することができる。本発明は、上で指摘したように、セルの照明を順序付け代わりに、前記セルの消弧を順序づける。
【００４１】
同様に、本発明はプラズマディスプレイパネルに関して説明されているが、オン状態又はオフ状態にある複数のセルを有する他の任意のディスプレイ装置にも使用することができる。したがって、マイクロミラー装置及びディジタルＬＣＯＳディスプレイ装置も本発明を使用することができる。
【図面の簡単な説明】
【００４２】
【図１】先行技術による、画像表示の間のサブスキャンの時間分割を示す。
【００４３】
【図２】先行技術による、画像表示の間のサブスキャンの時間分割を示す。
【００４４】
【図３】増分符号による１４のサブスキャンにより表示可能なグレーレベルを示す。
【００４５】
【図４】本発明の方法を実施する第１の方式を示す。
【００４６】
【図５Ａ】本発明の方法を実施する第１の方式を示す。
【００４７】
【図５Ｂ】本発明の方法を実施する第１の方式を示す。
【００４８】
【図５Ｃ】本発明の方法を実施する第１の方式を示す。
【００４９】
【図５Ｄ】本発明の方法を実施する第１の方式を示す。
【００５０】
【図６】本発明の方法を実施する第２の方式を示す。
【００５１】
【図７Ａ】本発明の方法を実施する第２の方式を示す。
【００５２】
【図７Ｂ】本発明の方法を実施する第２の方式を示す。
【００５３】
【図７Ｃ】本発明の方法を実施する第２の方式を示す。
【００５４】
【図７Ｄ】本発明の方法を実施する第２の方式を示す。
【００５５】
【図８】本発明の方法が使用されるＰＤＰのブロック図を示す。
【図１】
0004578096.tif 000002
【図２】
0004578096.tif 000003
【図３】
0004578096.tif 000004
【図４】
0004578096.tif 000005
【図５Ａ】
0004578096.tif 000006
【図５Ｂ】
0004578096.tif 000007
【図５Ｃ】
0004578096.tif 000008
【図５Ｄ】
0004578096.tif 000009
【図６】
0004578096.tif 000010
【図７Ａ】
0004578096.tif 000011
【図７Ｂ】
0004578096.tif 000012
【図７Ｃ】
0004578096.tif 000013
【図７Ｄ】
0004578096.tif 000014
【図８】
0004578096.tif 000015